(57)【要約】【課題】閉止具による袋開口部の閉止結合が強固な状態においても開封時における雄、雌部材の分離、引き剥し作業を容易にして簡単に開封作業が行えるようにした閉止構造を提供する。【解決手段】雄形部材１１と雌形部材１２を互いに長さが不揃いとなるようにそれぞれ複数に切断して複数組の分割閉止具１０ａ、１０ｂ、１０ｃに形成し、閉止時には各分割閉止具の雄形部材１１同士及び雌形部材１２同士の端部１４ａ、１４ｂ、１５ａ、１５ｂを衝き合わせると同時に、該それぞれの端部の衝き合せ位置１４、１５を長さ方向に位置をずらした状態で嵌め合わせ、複数組の分割閉止具１０ａ、１０ｂ、１０ｃによって開口部２１を密閉するようにする。そして、結合解除においては閉止具両端部を握持し、雌形部材に対する雄形部材の嵌入方向あるいは押圧面方向に向けて折ることで前記衝き合せ位置において、分割部材の閉止結合を解除し、該解除した長さ部分に指先を掛けて両部材の結合を解き、閉止状態を解放する。【選択図】図１
0003143681.tif 000002
【実用新案登録請求の範囲】
【請求項１】
扁平に畳まれる合成樹脂フィルム製収納袋の開口部を横断するように袋の表裏両面から棒状をなす雄形部材及び雌形部材からなる閉止具を添わせ、袋開口部を挟み込むようにして嵌め合わせることによって、密閉するようにした収納袋の閉止構造において、
前記閉止具は前記雄形部材と雌形部材を互いに長さが不揃いとなるようにそれぞれ複数に切断して複数組みの分割閉止具に形成し、閉止時には各分割閉止具の雄形部材同士及び雌形部材同士の端部を衝き合わせると同時に、該それぞれの端部の衝き合せ位置を長さ方向に位置をずらした状態で嵌め合わせ、複数組の分割閉止具によって開口部を密閉するようにしたことを特徴とする収納袋の閉止構造。
【請求項２】
請求項１の記載において、雄形部材及び雌形部材相互の端部の衝き合せ位置の位置ずれの長さは少なくとも指先を掛けることが可能な長さであることを特徴とする収納袋の閉止構造。
【考案の詳細な説明】
【技術分野】
【０００１】
この考案は、袋の開口部を閉塞する閉止具に関する。
【背景技術】
【０００２】
従来から閉止具は雄、雌の棒状をなす２本の部材からなり、雌形の凹部に雄形を嵌め込むことを通して、この雄、雌両形部材の間に扁平に閉じた袋の開口部を差し入れ挟み込んで閉止する構造のものとして広く知れられている。
例えば特許文献１、２、３がそれである。
【０００３】
【特許文献１】実開平５−２６８４１号公報。
【特許文献２】実開平６−８７２４５号公報。
【特許文献３】特開２０００−１６８８００号公報。
【０００４】
上記特許文献１に記載される閉止具は、雄形部材と第一の雌形部材の間に袋開口部を挟み込んで閉止した後、第一の雌形部材の開口部の外側から第二の雌形部材で挟持することで、第一の雌形部材による密閉侠着が不完全な場合においても第二の雌形部材で密閉侠着ができるよう考慮された閉止具である。
【０００５】
特許文献１に記載の閉止具は、従来の雄形部材と雌形部材からなる閉止構造に対し、さらに第二の雌形部材で挟持するという簡易な方法で確実な密閉ができる構造になっている。その反面、開封は従来どおり一方の部材を指で挟み、もう一方の部材に指を掛けて引き剥がすようになっているため、閉止結合が強固になっている場合には解除が厄介なものとなっている。
【０００６】
一方、特許文献２に記載される閉止具は、帯状の平板部および平板部の幅方向に間隔を隔てて平板部の長手方向に延びて形成される断面「く」の字形の支持部を有する第１の係止部材と、断面「く」の字形で弾性材からなる押止部を有し、押止部の内壁面が支持部の外壁面に押圧されて支持部に密着される第２の係止部材とで袋開口部を密閉する閉止具である。
【０００７】
この特許文献２に記載の閉止具は、部材同士の嵌合断面を「く」の字型とすることで、部材点数を増やすことなく確実な密閉ができるものとなっているが、特許文献１と同様に、開封は従来どおり一方の部材を指で挟み、もう一方の部材に指を掛けて引き剥がすようになっているため、閉止結合が強固になっている場合には解除が厄介なものになっている。
【０００８】
また一方、特許文献３に記載される閉止具は、相互に対称な円弧状部を備えるとともに長径と短径とを具備する断面形状の押え杆（１）と、押え杆（１）を抜止め状態に押えるための突出片（２１）が設けられた凹溝（２０）により袋開口部を密閉する閉止具となっている。
【０００９】
特許文献３に記載の閉止具は、押え杆で袋開口部を凹溝に侠圧し回転させて、凹溝に設けられた突起片により抜止めを行う閉止構造となっているので、開封時においても押え杆を回転させて突起片による抜止めを解除し、開封することができるようになっている。
しかし、開封時は密閉時と異なり一定の密閉状態がなされた後の開封となる場合が多いので、閉止結合が強固となり押え杆も回転しづらくなることがあって開封作業が厄介なものになっている。
【考案の開示】
【考案が解決しようとする課題】
【００１０】
従って、本考案は上述した従来の雄形及び雌形の部材の嵌め合わせによる閉止具の密閉構造の実情に鑑み、袋開口部を密閉状態に閉塞するのはもちろんのこと、閉止具による袋開口部の閉止結合が強固な状態においても開封時における雄、雌部材の分離、引き剥し作業を容易にして簡単に開封作業が行えるようにした閉止構造を提供することにある。
【００１１】
取分け、簡易な構造で、且つ前記特許文献２に開示されるような扁平に畳まれる合成樹脂フィルム製収納袋の開口部を横断するように袋の表裏両面から棒状をなす雄形部材及び雌形部材からなる閉止具を添わせ、袋開口部を挟み込むようにして嵌め合わせることによって、密閉するようにした収納袋の閉止構造を提供するものである。
【課題を解決するための手段】
【００１２】
そこで、上記目的を達成すべく、本考案に係る閉止構造は、次のような手段を採用する。
【００１３】
すなわち、請求項１に記載の閉止構造は、扁平に畳まれる合成樹脂フィルム製収納袋の開口部を横断するように袋の表裏両面に棒状をなす雄形部材及び雌形部材からなる閉止具を添わせ、袋開口部を挟み込むようにして嵌め合わせることによって、密閉するようにした収納袋の閉止構造において、前記閉止具は前記雄形部材と雌形部材を互いに長さが不揃いとなるようにそれぞれ複数に切断して複数組の分割閉止具に形成し、閉止時には各分割閉止具の雄形部材同士及び雌形部材同士の端部を衝き合わせると同時に、該それぞれの端部の衝き合せ位置を長さ方向に位置をずらした状態で嵌め合わせ、複数組の分割閉止具によって開口部を密閉するようにしたことを特徴とする。
【００１４】
この閉止構造は従来、袋開口部の全幅に亘って一本の部材で構成されていた雄形部材と雌形部材を、互いの長さが不揃いとなるようそれぞれ複数に切断した複数組の分割閉止具で構成している。閉止時においては、該分割閉止具を組み合わせて、袋開口部を挟み込むように嵌め合せて全幅を密閉する。
【００１５】
また、開口部全幅を分割閉止具において密閉する場合、分割雄形部材及び分割雌形部材はそれぞれ一本の部材のように相互の端部を衝き合わせて使用し、且つそれぞれの部材の端部の衝き合わせ位置が長さ方向に位置をずらした状態で嵌め合わされる。
【００１６】
ここで、複数組の分割閉止具とは雄、雌１対の部材からなる閉止具が２組以上であればよく、むしろ密閉時と開封時における簡便性を考慮すると２組が最適となるが、３組以上となってもよい。
【００１７】
さらに、雄形部材及び雌形部材には、雄形部材を雌形部材に嵌め合わす際に適度な弾性が必要とされるため、材質としては合成樹脂製材料等が挙げられる。
【００１８】
請求項２に記載の閉止構造は、請求項１に記載の閉止構造において、分割雄形部材及び分割雌形部材相互の端部の衝き合せ位置の位置ずれの長さが突き出した方の端部に指先が掛けられる長さであることを特徴とする。
【００１９】
この閉止構造では、閉止具両端部を握持し、雌形部材に対する雄形部材の嵌入方向あるいは押圧面方向に向けて折ることによって、雄形部材同士あるいは雌形部材同士の衝き合せ位置において、どちらか一方の分割部材の閉止結合が部分解除され、該部分解除の長さが指掛け可能な長さとなることによって、この部分に指先を掛けて一方の部材を他方の部材から引き離すようにして両部材の結合を解き、開口部の閉止状態を解放することになる。
【考案の効果】
【００２０】
請求項１に係る閉止構造によれば、開封は閉止具両端部を握持し、雌形部材の嵌入方向あるいは押圧面方向に向けて腰を折るように折り曲げることによって、雄形部材同士あるいは雌形部材同士の端部の衝き合せ位置において、どちらか一方の分割部材の閉止結合が部分解除されることになる。この部分解除によって他方の部材から離れた一方の部材の端部を摘んで更に引き離し方向に力を加えると、雄雌部材の全体の嵌め合わせ関係は容易に崩れ、分離して、結果的に袋の開口部の挟み付けによる閉塞状態は解除されることになる。
この場合、従来の雌形部材を摘んで雄形部材を引く動作においては、閉止結合が強固であればあるほど、解除しづらかったのに対し、本考案によると指で摘む部分が確保されていることから閉止結合の強弱に係らず容易に解除することができる。
勿論、袋内が吸気されている状況であろうと圧縮されている状況であろうと開封の容易性については変わらない。
【００２１】
また、収納袋は扁平に畳まれた合成樹脂フィルム製となっているので、雄、雌両形部材の間に扁平に閉じた袋の開口部を差し入れ挟み込んで密閉した場合における閉止具との密着性が高められ、袋の開口部が扁平に閉じていないことにより生じる空気漏れの恐れも軽減することができる。
【００２２】
本考案の請求項２に係る閉止構造によれば、雄形部材及び雌形部材相互の端部の衝き合せ位置の位置ずれの長さは少なくとも指先を掛けることが可能な長さであるので、開封時において部分解除された分割部材に指先を掛けて引き離すことで該分割部材を解除することができようになる。この部分解除によって他方の部材にも同様に指先を掛けることが可能な長さができるので、収納袋を押えて該他方の部材に指先を掛けて引き離すことで雄雌部材の嵌め合わせ関係は容易に崩れ、分離して、結果的に袋の開口部の挟み付けによる閉塞状態はより容易に解除されることになる。
次に本考案を更に明確にするため、図示する実施例につき詳述し、その他の特徴とするところを併せて説明することにする。
【考案を実施するための最良の形態】
【００２３】
添付する図面は、本考案を実施するための形態を複数の実施例を以て具体的に示したもので、図１から図５は第１の実施例を、図６は第２の実施例を、また、図７は第３の実施例を示す。以下、これらの実施例に基づき本考案に係る閉止構造の特徴とするところを詳述する。
【実施例１】
【００２４】
図１から図５において、符号１０は本考案に係る閉止具、２０は収納袋、３０は吸排気弁を示す。収納袋２０は合成樹脂フィルムを材料にして形成してあり、吸排気弁３０は合成樹脂を材料にして形成されている。
上記閉止具１０はここでは２組の分割閉止具１０ａ、１０ｂからなり、それぞれの雄形部材１１ａ、１１ｂと雌形部材１２ａ、１２ｂの嵌合によって収納袋２０の開口部２１を閉止するものである。
【００２５】
それぞれの雄形部材１１ａ、１１ｂは雌形部材１２ａ、１２ｂとの嵌合時における弾性変形を可能にするため、中空の真円柱構造となっている。
一方、雌形部材１２ａ、１２ｂの嵌合溝１３は、雄形部材１１ａ、１１ｂを受け入れた後内部に結合保持することができるよう円弧をなす断面形が半円以上となっている。また雌形部材１２ａ、１２ｂは押圧部１７に長さ方向に沿って２条の溝１６、１６を設け、雄形部材１１ａ、１１ｂとの嵌合時における弾性変形の力の分散を図る構造となっている。
【００２６】
図２は、閉止具１０によって嵌合された収納袋２０のＡ−Ａ一部拡大断面図である。収納袋２０は、扁平に畳まれる表裏２面からなる合成樹脂フィルム製の袋であり、その開口部２１を後述するように雄、雌形両部材によって挟み付けたとき、前記嵌合溝１３に添って変形しやすく、且つ表裏のフィルムの密着によって密閉性が高く空気漏れもしない状態で閉じあわされるものになっている。
【００２７】
図３は、２組の分割閉止具１０ａ、１０ｂを組み合わせて１つの閉止具１０としたときの結合状態における斜視図である。分割雄形部材１１ａ、１１ｂの衝き合せ端部１５ａ、１５ｂ及び分割雌形部材１２ａ、１２ｂの衝き合せ端部１４ａ、１４ｂは相互に衝き合う一方、この衝き合せ端部の衝き合せ部１４、１５は互いに長さ方向に位置をずらした状態で嵌め合うことになる。
尚、衝き合せ部１４、１５は長さ方向に位置をずらしながら雄雌が嵌め合った関係を作り、表裏２面を圧着することから衝き合せ部１４、１５から空気が漏れることなく高い密閉性が確保される。
【００２８】
図４、図５は、２組の分割閉止具１０ａ、１０ｂからなる閉止具１０の解除作業を説明する説明図である。
図４における解除動作は、閉止具１０両端部を握持し、雌形部材１２の押圧面１７方向に向けて折ることによって、雄形部材の衝き合せ位置１５において、分割雄形部材１１ａの閉止結合が位置をずらした長さの分、解除される。
位置をずらした長さは指先を掛けることが可能な長さであるので、部分解除された分割雄形部材１１ａの端部に指先を掛けて引き離すことで分割雌形部材１２ａとの閉止結合を解除することが出来る。
前記解除動作によって分割閉止具１０ａが解除されることによって、分割雌形部材１２ｂにも指先を掛けることが可能な長さが出来るので、収納袋２０を押えて該分割雌形部材１２ｂに指先を掛けて引き離すことで、雄雌部材の嵌め合わせ関係は崩れ、分離して袋の開口部２１の閉塞状態が容易に解除することができる。
【００２９】
図５における解除動作は、図４において閉止具１０両端部を握持し、雌形部材１２の押圧面１７方向に向けて折る動作を、雄形部材１１の嵌入方向に向けて折る動作とした結果、部分解除される部材も異なるだけであり、解除の動作については図４と同様である。
【００３０】
吸排気弁３０は、閉止具１０により開口部２１を密閉した後、収納袋２０内への吸気あるいは圧縮が行えるように収納袋の下部に設けられている。
吸排気弁３０から吸気させた場合には、収納袋２０が膨らんだ状態を維持するため、収納袋２０に外圧が掛かることによる収容品の型崩れを防止する袋として利用される。
一方、吸排気弁３０から脱気させた場合には、収納袋２０の表裏のフィルムが収容品を挟んで略真空状態を維持するため、収容品の圧縮袋として利用される。
【実施例２】
【００３１】
図６は、閉止具１０を３組の分割閉止具１０ａ、１０ｂ、１０ｃから構成した場合の第２の実施例を示す。尚、図面上前記実施例１と同一の部所については同一の符号を付してそれらの説明を省略する。また後述する実施例についても同様とする。
【００３２】
ここに示す実施例は、３組の分割閉止具からなる閉止具１０を示しているが、分割閉止具の数が多くなった場合においても開封のための雄、雌形部材の解除作業は実施例１と同じである。
【実施例３】
【００３３】
図７は、前記収納袋２０内に衣類等の収容品を固定する固定具４０を備える第３の実施例を示す斜視図である。つまり、この実施例は前記第１、第２の実施例における収納袋２０の袋内部に固定具４０を設け、収納袋２０の内部を変更した他の例である。
【００３４】
ここに示す実施例は、吸排気弁３０から吸気した収納袋２０内において、収容品を固定具４０で固定することによって移動防止を図り、収納袋の振動等に伴って内部で収容品が移動して型崩れを起こすことがあるのを防止するようにしたものである。
固定具４０は、合成樹脂製材料あるいは伸縮性材料からなる帯状部材であって、帯上部材の両端部には、収容品を結束固定するための両ファスナーからなる止着部４１を設けてなる帯状固定具である。
【００３５】
固定具４０は収納袋内の収容品を縛って固定するため、ここでは帯状にしているが紐状であってもよい。
つまり、収容品の固定方法は、固定具の両端に止着部４１を設けずに両端を結束して固定する方法の外、固定具を伸縮性材料として挟んで固定する方法等であってもよい。
勿論、帯状や紐状にした場合、固定具４０は１本にしても収容品に合わせて２本、３本と増やしてもよく、設置位置についても特定するものではなく、開口部２１に対して垂直に、水平に、十字型にあるいはクロス型に設置してもよい。
【００３６】
以上、本考案に係る収納袋の閉止構造を図面に示す実施例を基に説明したが、前記説明において明らかな様に本考案によれば、閉止具１０は前記雄形部材１１ａ、１１ｂと雌形部材１２ａ、１２ｂを互いの長さが不揃いとなるようにそれぞれ複数に切断して複数組の分割閉止具１０ａ、１０ｂ、１０ｃに形成し、閉止時には各閉止具の雄形部材１１ａ、１１ｂ、１１ｃ同士及び雌形部材１２ａ、１２ｂ、１２ｃ同士の相互においてそれぞれの端部１４ａ、１４ｂ、１５ａ、１５ｂを衝き合わせると共に、該それぞれの端部の衝き合せ位置を長さ方向に位置をずらして嵌め合わせていることによって、密閉状態を確保しつつ、収納袋２０の開口部２１を解放する際には上記分割閉止具１０ａ、１０ｂ、１０ｃを１つずつ雄、雌形部材１１ａ、１１ｂ、１２ａ、１２ｂを外すことによって容易に行うことができるものとなっているのである。
【産業上の利用可能性】
【００３７】
本考案は、袋の開口部を閉塞する閉止具を容易に開封可能にすることを目的としてなされたものではあるが、開口部を閉じる合成樹脂製袋体であればその用途、形状等に特定されることなく開口部の閉止構造として広く実施できるものであり、利用を一つに特定されるものではない。
【図面の簡単な説明】
【００３８】
【図１】収納袋の閉止構造の実施例を示す斜視図である。
【図２】図１の収納袋のＡ−Ａ一部拡大断面図である。
【図３】２組の分割閉止具からなる閉止具の斜視図である。
【図４】分割閉止具からなる閉止具の第１の解除説明図である。
【図５】分割閉止具からなる閉止具の第２の解除説明図である。
【図６】３組の分割閉止具からなる閉止具の斜視図である。
【図７】収納袋内に固定具を有する実施例を示す斜視図である。
【符号の説明】
【００３９】
１０                              閉止具
１１                              雄形部材
１２                              雌形部材
１０ａ、１０ｂ、１０ｃ            閉止具を構成する分割閉止具
１１ａ、１１ｂ、１１ｃ            分割雄形部材
１２ａ、１２ｂ、１２ｃ            分割雌形部材
１３                              分割雄形部材を受け入れる嵌合溝
１４、１５                        衝き合せ部
１４ａ、１４ｂ、１５ａ、１５ｂ    衝き合せ端部
１６                              溝
１７                              押圧部
２０                              収納袋
２１                              開口部
３０                              吸排気弁
４０                              固定具
４１                              止着部
【図１】
0003143681.tif 000003
【図２】
0003143681.tif 000004
【図３】
0003143681.tif 000005
【図４】
0003143681.tif 000006
【図５】
0003143681.tif 000007
【図６】
0003143681.tif 000008
【図７】
0003143681.tif 000009